(57)【要約】【課題】車両の重量増加やコストアップを最小限に抑えつつ、フロントアクスル用のリーフスプリングの支持剛性を高め、操縦安定性並びに振動特性向上を図り得る車両のサスペンション構造を提供する。【解決手段】車両１の前後方向へ延びる一対のサイドレール２が車両１の幅方向へ所要間隔をあけて対向配置されたシャシフレーム３を備え、シャシフレーム３の各サイドレール２前部に、車両１の前後方向へ延びるリーフスプリング４の前後端を車両１の幅方向へ延びるスプリングピン５，６を介して取り付け、リーフスプリング４の中央部間に掛け渡すようにフロントアクスル７を配設した車両のサスペンション構造において、リーフスプリング４前端におけるスプリングピン５の両端を連結する保持部１２Ａと、該保持部１２Ａ間をつなぐ連結部１２Ｂとを有する補強材１２を備える。【選択図】図１
2015080949.tif 000002
【特許請求の範囲】
【請求項１】
車両の幅方向へ所要間隔をあけて対向配置され且つ車両の前後方向へ延びる一対のサイドレールを有したシャシフレームを備え、該シャシフレームの各サイドレール前部に、車両の前後方向へ延びるリーフスプリングの前後端を車両の幅方向へ延びるスプリングピンを介して取り付け、該リーフスプリングの中央部間に掛け渡すようにフロントアクスルを配設した車両のサスペンション構造において、
前記リーフスプリング前端におけるスプリングピンの両端を連結する保持部と、該保持部間をつなぐ連結部とを有する補強材を備えたことを特徴とする車両のサスペンション構造。
【請求項２】
前記補強材は、
前記リーフスプリングとの干渉を避けるよう二股状に形成され且つ先端部がスプリングピンの両端前面側に当接される前面側二股状板部と、該前面側二股状板部間をつなぐ前面側連結板部とを有した前面側補強プレートと、
前記リーフスプリングとの干渉を避けるよう二股状に形成され且つ先端部がスプリングピンの両端後面側に当接される後面側二股状板部と、該後面側二股状板部間をつなぐ後面側連結板部とを有した後面側補強プレートと、
前記前面側補強プレート及び後面側補強プレートを重ね合わせる際に介装されるカラーと、
該カラーを貫通して前記前面側補強プレート及び後面側補強プレートを一体に締め付ける締結部材と、
前記前面側二股状板部及び後面側二股状板部でスプリングピンの両端部を前後から挟み付けた状態で締め付ける締結部材と
を有している請求項１記載の車両のサスペンション構造。
【請求項３】
前記スプリングピンの両端部における締結点を結ぶ直線の中間部から垂下させた垂線上に、前記カラーを介した前面側補強プレート及び後面側補強プレートの締結点を設定した請求項２記載の車両のサスペンション構造。
【発明の詳細な説明】
【技術分野】
【０００１】
本発明は、車両のサスペンション構造に関するものである。
【背景技術】
【０００２】
一般に、トラック等の車両においては、車両の前後方向へ延びる一対のサイドレールが車両の幅方向へ所要間隔をあけて対向配置されたシャシフレームを備え、該シャシフレームの各サイドレール前部に、車両の前後方向へ延びるリーフスプリングの前後端を車両の幅方向へ延びるスプリングピンを介して取り付け、該リーフスプリングの中央部間に掛け渡すようにフロントアクスルを配設したサスペンション構造が採用されている。
【０００３】
尚、前記シャシフレームの各サイドレール後部には、該各サイドレールの前部と同様に、車両の前後方向へ延びるリーフスプリングの前後端を車両の幅方向へ延びるスプリングピンを介して取り付け、該リーフスプリングの中央部間に掛け渡すようにリヤアクスルが配設されている。
【０００４】
前記フロントアクスルの両側にはホイール及びタイヤが取り付けられ、該タイヤと路面との接地により直進性が保たれるが、操舵装置を操作して曲線走行を行った場合、車両の積荷の量並びに位置及び曲線走行の度合い等によって、前記フロントアクスルが取り付けられたリーフスプリングの前後端部をスプリングピンを介して支持するスプリングブラケットが路面に対し車幅方向へ大きく傾動することがある。
【０００５】
これにより、前記シャシフレームが捩れることになり、該シャシフレームの復元力により自励振動が生じる。この自励振動は車体を振動させると共に、操舵装置を構成するステアリングが激しく振動する、いわゆるウォッブル（ｗｏｂｂｌｅ）現象を生じさせるという不具合がある。特にリーフスプリングの後端はシャックルを介してリヤ側のスプリングブラケットに取り付けられるため、該シャックルを支持するリヤ側のスプリングブラケットとサイドレールを含めたシャシフレームの全体の剛性が不足すると、前記ウォッブル現象を防止できなくなるという問題点があった。
【０００６】
こうした問題点を解消するために、従来、シャシフレームを構成するサイドレール及びクロスメンバの板厚を増加させてシャシフレーム自体の剛性を高めることや、左右のリヤブラケットの間にサポートビームを架設することが行われていた。
【０００７】
尚、左右のリヤブラケットの間にサポートビームを架設したサスペンションと関連する一般的技術水準を示すものとしては、例えば、特許文献１がある。
【先行技術文献】
【特許文献】
【０００８】
【特許文献１】特開２００４−９８７７２号公報
【発明の概要】
【発明が解決しようとする課題】
【０００９】
しかしながら、前述のように、シャシフレームを構成するサイドレール及びクロスメンバの板厚を増加させてシャシフレーム自体の剛性を高めるのでは、車両の重量増加やコストアップにつながるという不具合を有していた。又、特許文献１に開示された構造では、左右のリヤブラケット自体にサポートビームを架設しているため、リヤブラケットが大型化し、やはり車両の重量増加やコストアップは避けられなかった。
【００１０】
本発明は、上記従来の問題点に鑑みてなしたもので、車両の重量増加やコストアップを最小限に抑えつつ、フロントアクスル用のリーフスプリングの支持剛性を高め、操縦安定性並びに振動特性向上を図り得る車両のサスペンション構造を提供しようとするものである。
【課題を解決するための手段】
【００１１】
本発明は、車両の幅方向へ所要間隔をあけて対向配置され且つ車両の前後方向へ延びる一対のサイドレールを有したシャシフレームを備え、該シャシフレームの各サイドレール前部に、車両の前後方向へ延びるリーフスプリングの前後端を車両の幅方向へ延びるスプリングピンを介して取り付け、該リーフスプリングの中央部間に掛け渡すようにフロントアクスルを配設した車両のサスペンション構造において、
前記リーフスプリング前端におけるスプリングピンの両端を連結する保持部と、該保持部間をつなぐ連結部とを有する補強材を備えたことを特徴とする車両のサスペンション構造にかかるものである。
【００１２】
前記車両のサスペンション構造において、前記補強材は、
前記リーフスプリングとの干渉を避けるよう二股状に形成され且つ先端部がスプリングピンの両端前面側に当接される前面側二股状板部と、該前面側二股状板部間をつなぐ前面側連結板部とを有した前面側補強プレートと、
前記リーフスプリングとの干渉を避けるよう二股状に形成され且つ先端部がスプリングピンの両端後面側に当接される後面側二股状板部と、該後面側二股状板部間をつなぐ後面側連結板部とを有した後面側補強プレートと、
前記前面側補強プレート及び後面側補強プレートを重ね合わせる際に介装されるカラーと、
該カラーを貫通して前記前面側補強プレート及び後面側補強プレートを一体に締め付ける締結部材と、
前記前面側二股状板部及び後面側二股状板部でスプリングピンの両端部を前後から挟み付けた状態で締め付ける締結部材と
を有していることが好ましい。
【００１３】
又、前記車両のサスペンション構造においては、前記スプリングピンの両端部における締結点を結ぶ直線の中間部から垂下させた垂線上に、前記カラーを介した前面側補強プレート及び後面側補強プレートの締結点を設定することが好ましい。
【発明の効果】
【００１４】
本発明の車両のサスペンション構造によれば、車両の重量増加やコストアップを最小限に抑えつつ、フロントアクスル用のリーフスプリングの支持剛性を高め、操縦安定性並びに振動特性向上を図り得るという優れた効果を奏し得る。
【図面の簡単な説明】
【００１５】
【図１】本発明の車両のサスペンション構造の実施例を示す斜視図である。
【図２】本発明の車両のサスペンション構造の実施例における補強材を示す後面図である。
【図３】図２のＩＩＩ−ＩＩＩ矢視図である。
【図４】本発明の車両のサスペンション構造の実施例におけるスプリングピンを示す平面図である。
【図５】本発明の車両のサスペンション構造の実施例におけるスプリングピンを示す正面図である。
【発明を実施するための形態】
【００１６】
以下、本発明の実施の形態を添付図面を参照して説明する。
【００１７】
図１〜図５は本発明の車両のサスペンション構造の実施例であって、該サスペンション構造は、車両１の前後方向へ延びる一対のサイドレール２が車両１の幅方向へ所要間隔をあけて対向配置されたシャシフレーム３を備え、該シャシフレーム３の各サイドレール２前部に、車両１の前後方向へ延びるリーフスプリング４の前後端を車両１の幅方向へ延びるスプリングピン５，６を介して取り付け、該リーフスプリング４の中央部間に掛け渡すようにフロントアクスル７を配設したものである。
【００１８】
尚、前記リーフスプリング４の前端が枢着されるスプリングピン５は、前記サイドレール２のフロント側に固着されるスプリングブラケット８に取り付けられ、前記リーフスプリング４の後端が枢着されるスプリングピン６は、前記サイドレール２のリヤ側に固着されるスプリングブラケット９にシャックル１０を介して取り付けられている。又、前記一対のサイドレール２の前端は、クロスメンバ１１によって連結されている。
【００１９】
本実施例の場合、前記リーフスプリング４前端におけるスプリングピン５の両端を連結する保持部１２Ａと、該保持部１２Ａ間をつなぐ連結部１２Ｂとを有する補強材１２を備えた点が特徴部分となっている。
【００２０】
前記補強材１２は、図２及び図３に示す如く、前面側補強プレート１３と後面側補強プレート１４とを有しており、該前面側補強プレート１３は、前記リーフスプリング４との干渉を避けるよう二股状に形成され且つ先端部がスプリングピン５の両端前面側に当接される前面側二股状板部１３Ａと、該前面側二股状板部１３Ａ間をつなぐ前面側連結板部１３Ｂとを有し、前記後面側補強プレート１４は、前記リーフスプリング４との干渉を避けるよう二股状に形成され且つ先端部がスプリングピン５の両端後面側に当接される後面側二股状板部１４Ａと、該後面側二股状板部１４Ａ間をつなぐ後面側連結板部１４Ｂとを有している。前記前面側補強プレート１３及び後面側補強プレート１４は、複数（図３の例では四個）の円筒状のカラー１５を介装することにより、所要間隔ｓをあけて重ね合わされ、該カラー１５に対し締結部材１６としてのボルトを貫通させてナットを螺着することにより、前記前面側補強プレート１３及び後面側補強プレート１４を一体に締め付けるようにしてある。更に、前記前面側二股状板部１３Ａ及び後面側二股状板部１４Ａでスプリングピン５の両端部を前後から挟み付けた状態とし、この状態で、締結部材１７としてのボルトを貫通させてナットを螺着することにより、前記前面側補強プレート１３及び後面側補強プレート１４のスプリングピン５への取り付けを行うようにしてある。
【００２１】
前記スプリングピン５は、図４及び図５に示す如く、両端部に、前記前面側二股状板部１３Ａ及び後面側二股状板部１４Ａの先端部が当接可能な平坦面１８を形成して取付部１９を設け、該取付部１９に、前記平坦面１８と直交する水平方向へ延び且つ前記締結部材１７としてのボルトが貫通可能な締結孔２０を穿設してある。
【００２２】
又、図２に示す如く、前記スプリングピン５の両端部における締結点Ｐ，Ｐを結ぶ直線ＨＬの中間部から垂下させた垂線ＶＬ上に、前記カラー１５を介した前面側補強プレート１３及び後面側補強プレート１４の締結点Ｑを設定してある。
【００２３】
次に、上記実施例の作用を説明する。
【００２４】
前述の如く、前記リーフスプリング４前端におけるスプリングピン５の両端を連結する保持部１２Ａと、該保持部１２Ａ間をつなぐ連結部１２Ｂとを有する補強材１２を備えるようにすると、前記補強材１２は、スプリングピン５の両端を保持部１２Ａで連結しつつ、該保持部１２Ａ間を連結部１２Ｂでつないでいるため、フロントアクスル７用のリーフスプリング４の支持剛性がきわめて有効に高められる。
【００２５】
しかも、前記補強材１２は、前面側二股状板部１３Ａ間を前面側連結板部１３Ｂでつないだ前面側補強プレート１３と、後面側二股状板部１４Ａ間を後面側連結板部１４Ｂでつないだ後面側補強プレート１４とをカラー１５を介して締結部材１６で一体に締め付ける構造としてあるため、前記補強材１２自体の重量が増加することを必要最小限に抑えることが可能となる。
【００２６】
この結果、従来のように、シャシフレーム３を構成するサイドレール２及びクロスメンバ１１の板厚を増加させてシャシフレーム３自体の剛性を高める必要がなくなり、車両１の重量増加を抑えつつ、コストアップを回避することが可能となる。
【００２７】
又、図２に示す如く、前記スプリングピン５の両端部における締結点Ｐ，Ｐを結ぶ直線ＨＬの中間部から垂下させた垂線ＶＬ上に、前記カラー１５を介した前面側補強プレート１３及び後面側補強プレート１４の締結点Ｑを設定してあるため、前記前面側補強プレート１３の前面側二股状板部１３Ａ及び後面側補強プレート１４の後面側二股状板部１４Ａがそれぞれ捩れたり、広がったり、或いはずれたりしてしまうことがなくなり、剛性を確保する上で非常に有効となる。
【００２８】
こうして、車両１の重量増加やコストアップを最小限に抑えつつ、フロントアクスル７用のリーフスプリング４の支持剛性を高め、操縦安定性並びに振動特性向上を図り得る。
【００２９】
尚、本発明の車両のサスペンション構造は、上述の実施例にのみ限定されるものではなく、本発明の要旨を逸脱しない範囲内において種々変更を加え得ることは勿論である。
【符号の説明】
【００３０】
１      車両
２      サイドレール
３      シャシフレーム
４      リーフスプリング
５      スプリングピン
６      スプリングピン
７      フロントアクスル
１２      補強材
１２Ａ    保持部
１２Ｂ    連結部
１３      前面側補強プレート
１３Ａ    前面側二股状板部
１３Ｂ    前面側連結板部
１４      後面側補強プレート
１４Ａ    後面側二股状板部
１４Ｂ    後面側連結板部
１５      カラー
１６      締結部材
１７      締結部材
ＨＬ      直線
ＶＬ      垂線
Ｐ      締結点
Ｑ      締結点
【図１】
2015080949.tif 000003
【図２】
2015080949.tif 000004
【図３】
2015080949.tif 000005
【図４】
2015080949.tif 000006
【図５】
2015080949.tif 000007